(57)【要約】【課題】本発明の課題は、配線媒体数の削減を図るとともに、配線形態の煩雑さを抑制することにより、施工性の向上と施工コストの削減を実現する光映像伝送システムを提供することにある。【解決手段】本発明は、放送信号を光信号に変換し、光ファイバを介して伝送する光映像伝送システムにおいて、異なる放送サービスの複数の放送信号を受信する電気信号処理部３６と、電気信号処理部３６で受信した複数の放送信号を光信号に変換する光送信部３７と、光送信部３７で変換された光信号が光ファイバを介して伝送された光信号を電気信号に変換する光受信部４６と、光受信部４６で変換された電気信号を放送信号に変換する電気信号処理部４７とを具備することを特徴とするものである。【選択図】図１
2006074138.tif 000002
【特許請求の範囲】
【請求項１】
放送信号を光信号に変換し、光ファイバを介して伝送する光映像伝送システムにおいて、異なる放送サービスの複数の放送信号を受信する電気信号処理部と、前記電気信号処理部で受信した複数の放送信号を光信号に変換する光送信部と、前記光送信部で変換された光信号が光ファイバを介して伝送された光信号を電気信号に変換する光受信部と、前記光受信部で変換された電気信号を放送信号に変換する電気信号処理部とを具備することを特徴とする光映像伝送システム。
【請求項２】
放送信号を光信号に変換し、光ファイバを介して伝送する光映像伝送システムにおいて、同じ放送サービスの異なる伝送方式である複数の放送信号を受信する電気信号処理部と、前記電気信号処理部で受信した複数の放送信号を光信号に変換する光送信部と、前記光送信部で変換された光信号が光ファイバを介して伝送された光信号を電気信号に変換する光受信部と、前記光受信部で変換された電気信号を放送信号に変換する電気信号処理部とを具備することを特徴とする光映像伝送システム。
【請求項３】
前記光送信部は、複数の放送信号に対して異なる複数の波長をもつ光信号に変換する機能と、異なる複数の波長をもつ光信号を一つの導波路に合波する機能とを具備することを特徴とする請求項１又は２に記載の光映像伝送システム。
【請求項４】
前記光受信部は、光ファイバを介して伝送された異なる複数の波長をもつ光信号を互いに異なる波長毎に分波して波長別の複数の導波路に分波する機能と、前記互いに異なる波長毎に分波した光信号を電気信号に変換する機能とを具備することを特徴とする請求項１又は２に記載の光映像伝送システム。
【請求項５】
光ファイバを介して伝送される光信号は、ＣＷＤＭシステムの波長帯、および６５０ｎｍ帯、７８０ｎｍ帯、８５０ｎｍ帯のうち少なくとも一つの波長帯に属する波長をもつことを特徴とする請求項１、２、３又は４に記載の光映像伝送システム。
【発明の詳細な説明】
【技術分野】
【０００１】
本発明は、主に小規模住宅あるいは戸建住宅において、異なる複数の放送信号を電気信号処理部にて受信し、受信した電気信号を光送信部にて光信号に変換し、光ファイバを介して伝送する光映像伝送システムに関するものである。
【０００２】
本発明の光映像伝送システムは、例えばＶＨＦ放送とＢＳ放送、ＣＳ放送の各放送信号をＷＤＭ（波長分割多重）伝送する場合などに適用される。
【背景技術】
【０００３】
近年、小規模住宅あるいは戸建住宅において、ＶＨＦ放送、ＵＨＦ放送、ＢＳ放送、ＣＳ放送、ＣＳ１１０度放送、ＣＡＴＶ放送等といった異なる複数の放送サービスを利用することができるようになっている。さらに、インターネット（ＩＰ網）を利用したブロードバンドサービスも利用することができるようになっている。
【０００４】
図３は従来の映像伝送システムを示す構成説明図である。すなわち、ＶＨＦ放送用アンテナ１１およびＵＨＦ放送用アンテナ１２はＵ／Ｖ混合器（ＵＨＦ／ＶＨＦ混合器）１３を介して同軸ケーブルによりブースタ１４の入力端に接続される。前記ブースタ１４の入力端にはＢＳ放送およびＣＳ１１０度放送兼用アンテナ１５が接続される。前記ブースタ１４の出力端は分配器１６を介してそれぞれ対応した各部屋１，２，３の放送用コンセント１７に同軸ケーブルにより接続される。この放送用コンセント１７には放送受像機１８等が接続される。
【０００５】
この場合、複数の放送サービスが混在する複数の信号伝送路を一箇所に集中する情報分電盤が使用される。この情報分電盤は、住宅内の天井裏または壁裏に配置され、そこから各部屋にＶＨＦ／ＵＨＦ兼用同軸ケーブル、ＢＳ／ＣＳ兼用同軸ケーブル、ＣＡＴＶ用同軸ケーブルが敷設され、各同軸ケーブルの端末にそれぞれの部屋で必要なチューナ等の接続機器に対応する放送用コンセントが取り付けられる。前記情報分電盤は、ブースタおよび分配器を備え、入力信号をブースタにて充分な分配信号が得られるレベルまで増幅し、この増幅信号を分配器にて分配して各同軸ケーブルに出力する。
【０００６】
ここで、従来の技術の例としての配線システムは、放送信号の選局部と切り替え部を含むヘッドエンドを用いて、同軸ケーブルの本数を少なくするようにしている（例えば、特許文献１参照。）。
【特許文献１】特許第３０４２３３６号公報
【発明の開示】
【発明が解決しようとする課題】
【０００７】
ところで、異なる複数の放送信号を同軸ケーブルにより配線を行うと、放送サービスの数に応じて同軸ケーブルの本数が必要になる。そのため、同軸ケーブルを敷設する場合に、コスト性や作業性の面から負担が多くなる。
【０００８】
また、ＶＨＦ放送とＢＳ放送の場合のように異なる伝送帯域をもつ放送サービスを一本の同軸ケーブルを用いて伝送することは可能であるが、この場合には各伝送帯域によって伝送損失が異なるため、増幅器や分配器を伝送距離や分岐数に応じて配置しなければならない。
【０００９】
さらに、前記特許文献１において、ケーブルを他のサービスと共有するため端末コントローラ等の機器が必要となる。また、電気信号を用いるので、周辺へのノイズの発生や、周辺ノイズの影響を受ける等の問題がある。
【００１０】
本発明は上記の事情に鑑みてなされたもので、配線媒体数の削減を図るとともに、配線形態の煩雑さを抑制することにより、施工性の向上と施工コストの削減を実現する光映像伝送システムを提供することを目的とする。
【課題を解決するための手段】
【００１１】
上記目的を達成するために本発明は、放送信号を光信号に変換し、光ファイバを介して伝送する光映像伝送システムにおいて、異なる放送サービスの複数の放送信号を受信する電気信号処理部と、前記電気信号処理部で受信した複数の放送信号を光信号に変換する光送信部と、前記光送信部で変換された光信号が光ファイバを介して伝送された光信号を電気信号に変換する光受信部と、前記光受信部で変換された電気信号を放送信号に変換する電気信号処理部とを具備することを特徴とするものである。
【００１２】
また本発明は、放送信号を光信号に変換し、光ファイバを介して伝送する光映像伝送システムにおいて、同じ放送サービスの異なる伝送方式である複数の放送信号を受信する電気信号処理部と、前記電気信号処理部で受信した複数の放送信号を光信号に変換する光送信部と、前記光送信部で変換された光信号が光ファイバを介して伝送された光信号を電気信号に変換する光受信部と、前記光受信部で変換された電気信号を放送信号に変換する電気信号処理部とを具備することを特徴とするものである。
【００１３】
また本発明は、前記光映像伝送システムにおいて、光送信部が、複数の放送信号に対して異なる複数の波長をもつ光信号に変換する機能と、異なる複数の波長をもつ光信号を一つの導波路に合波する機能とを具備することを特徴とするものである。
【００１４】
また本発明は、前記光映像伝送システムにおいて、光受信部が、光ファイバを介して伝送された異なる複数の波長をもつ光信号を互いに異なる波長毎に分波して波長別の複数の導波路に分波する機能と、前記互いに異なる波長毎に分波した光信号を電気信号に変換する機能とを具備することを特徴とするものである。
【００１５】
また本発明は、前記光映像伝送システムにおいて、光ファイバを介して伝送される光信号が、ＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ）システムの波長帯、および６５０ｎｍ帯、７８０ｎｍ帯、８５０ｎｍ帯のうち少なくとも一つの波長帯に属する波長をもつことを特徴とするものである。
【発明の効果】
【００１６】
本発明は、例えばＶＨＦ放送、およびＵＨＦ放送、ＢＳ放送、ＣＳ放送、ＣＳ１１０度放送、ＣＡＴＶ放送等の異なる放送サービスの複数の放送信号を一本の光ファイバを介してＷＤＭ伝送できる光映像伝送システムを提供することができる。
【００１７】
また、ＣＳ放送の異なる伝送方式（ＪＣＳＡＴ−３ＰｅｒｆｅｃＴＶ水平偏波・垂直偏波、ＪＣＳＡＴ−４ＡＳｋｙＴＶ水平偏波・垂直偏波）である複数の放送信号を一本の光ファイバを介してＷＤＭ伝送できる光映像伝送システムを提供することができる。
【発明を実施するための最良の形態】
【００１８】
以下図面を参照して本発明の実施の形態例を詳細に説明する。
図１は本発明の実施形態例に係る光映像伝送システムの一例を示す構成説明図である。図１において、ＶＨＦ放送用アンテナ３１およびＵＨＦ放送用アンテナ３２はＵ／Ｖ混合器（ＵＨＦ／ＶＨＦ混合器）３３を介して同軸ケーブルによりユーザ宅内のブースタ３４の入力端に接続される。前記ブースタ３４の入力端にはＢＳ放送およびＣＳ１１０度放送兼用アンテナ３５が接続される。前記ブースタ３４の出力端には異なる放送サービスの複数の放送信号を受信する電気信号処理部３６の入力端に接続され、前記電気信号処理部３６の出力端は複数の放送信号を光信号に変換する光送信部３７の入力端に接続される。前記光送信部３７の出力端は複数の光信号を合波する例えばＷＤＭ等の合波器３８の入力端に光ファイバにより接続される。一方、ＣＳ放送用アンテナ３９はコンバータ４０を介してユーザ宅内のブースタ４１の入力端に接続され、前記ブースタ４１の出力端は放送信号を受信する電気信号処理部４２の入力端に接続され、前記電気信号処理部４２の出力端は放送信号を光信号に変換する光送信部４３の入力端に接続される。前記光送信部４３の出力端は複数の光信号を合波する合波器３８の入力端に光ファイバにより接続される。前記合波器３８の出力端は一本の光ファイバによりスプリッタ４４の入力端に接続され、前記スプリッタ４４の各部屋１，２，３に対応した出力端にはそれぞれ一本の光ファイバにより各部屋１，２，３の例えばＷＤＭ等の分波器４５の入力端に接続される。前記各分波器４５の分波された複数の光信号を出力する出力端は光信号を電気信号に変換する光受信部４６の入力端に接続され、前記光受信部４６の出力端は電気信号を放送信号に変換する電気信号処理部４７の入力端に接続される。前記電気信号処理部４７の出力端は放送用コンセント４８に接続され、前記放送用コンセント４８にはテレビ受像機４９が接続される。
【００１９】
すなわち、放送信号を光信号に変換し、光ファイバを介して伝送する光映像伝送システムにおいて、異なる放送サービスの複数の放送信号を受信する電気信号処理部３６，４２と、前記電気信号処理部３６，４２で受信した複数の放送信号を光信号に変換する光送信部３７，４３と、前記光送信部３７，４３で変換された光信号が光ファイバを介してＷＤＭ伝送された光信号を電気信号に変換する光受信部４６と、前記光受信部４６で変換された電気信号を放送信号に変換する電気信号処理部４７とを具備する。したがって、異なる放送サービスの複数の放送信号を光信号に変換して一本の光ファイバを介してＷＤＭ伝送できるため、配線形態の煩雑さを抑制することができ、さらに施工性の向上と施工コストの削減を実現することができる。さらに、光ファイバの伝送損失は同軸ケーブルよりも極めて小さいため、分岐数を増加することができる。
【００２０】
ここで、一例として、ＶＨＦ放送、およびＵＨＦ放送、ＢＳ／ＣＳ１１０度放送の放送信号を受信し、波長１．５５μｍの光信号に変換し、またＣＳ放送の放送信号を受信し、波長１．３１μｍの光信号に変換し、両波長を合波する合波器を具備する光映像伝送システムを利用することができる。また、各部屋１，２，３においてＷＤＭ伝送された光信号を波長１．５５μｍおよび波長１．３１μｍの光信号に分波器によって分波し、各光信号を放送信号に変換する光映像伝送システムを利用することができる。この場合、各波長はＣＷＤＭシステムの波長帯に属しているため、光源としてＣＷＤＭ用ＬＤ（レーザダイオード）および合分波器としてＣＷＤＭ用フィルタを利用することができる。
【００２１】
図２は本発明の実施形態例に係る光映像伝送システムの他の例を示す構成説明図である。図２において、ＣＳ放送用アンテナ５１の異なる伝送方式である複数の放送信号を抽出するコンバータ５２はそれぞれ対応したブースタ５３の入力端に同軸ケーブルにより接続され、前記各ブースタ５３の出力端は複数の放送信号を受信する電気信号処理部５４の入力端に接続される。前記電気信号処理部５４の出力端は複数の放送信号を複数の波長の光信号に変換する光送信部５５の入力端に接続され、前記光送信部５５の出力端は複数の波長の光信号を合波する例えばＷＤＭ等の合波器５６の入力端に光ファイバにより接続される。前記合波器５６の出力端は一本の光ファイバによりスプリッタ５７の入力端に接続され、前記スプリッタ５７の各部屋１，２，３に対応した出力端にはそれぞれ一本の光ファイバにより各部屋１，２，３の例えばＷＤＭ等の分波器５８の入力端に接続される。前記各分波器５８の分波された複数の光信号を出力する出力端は光信号を電気信号に変換する光受信部５９の入力端に接続され、前記光受信部５９の出力端は電気信号を放送信号に変換する電気信号処理部６０の入力端に接続される。前記電気信号処理部６０の出力端は放送用コンセント６１に接続され、前記放送用コンセント６１にはテレビ受像機６２が接続される。
【００２２】
すなわち、放送信号を光信号に変換し、光ファイバを介して伝送する光映像伝送システムにおいて、同じ放送サービスの異なる伝送方式である複数の放送信号を受信する電気信号処理部５４と、前記電気信号処理部５４で受信した複数の放送信号を光信号に変換する光送信部５５と、前記光送信部５５で変換された光信号が光ファイバを介してＷＤＭ伝送された光信号を電気信号に変換する光受信部５９と、前記光受信部５９で変換された電気信号を放送信号に変換する電気信号処理部６０とを具備する。したがって、同じ放送サービスの異なる伝送方式である複数の放送信号を光信号に変換して一本の光ファイバを介してＷＤＭ伝送できるため、配線形態の煩雑さを抑制することができ、さらに施工性の向上と施工コストの削減を実現することができる。さらに、光ファイバの伝送損失は同軸ケーブルよりも極めて小さいため、分岐数を増加することができる。
【００２３】
ここで、一例として、ＣＳ放送の異なる伝送方式（ＪＣＳＡＴ−３ＰｅｒｆｅｃＴＶ水平偏波・垂直偏波、ＪＣＳＡＴ−４ＡＳｋｙＴＶ水平偏波・垂直偏波）である４つの放送信号を、異なる４つの波長（６５０ｎｍ帯、７８０ｎｍ帯、８５０ｎｍ帯、１．３１μｍに属する波長）の光信号にそれぞれ変換し、各光信号を合波する合波器を具備する光映像伝送システムを利用することができる。また、各部屋１，２，３においてＷＤＭ伝送された光信号を４つの波長（６５０ｎｍ帯、７８０ｎｍ帯、８５０ｎｍ帯、１．３１μｍに属する波長）の光信号に分波器によって分波し、各光信号を放送信号に変換する光映像伝送システムを利用することができる。この場合、短波長帯に属する波長の光源として、ＤＶＤ（Ｄｉｇｉｔａｌ  Ｖｅｒｓａｔｉｌｅ  Ｄｉｓｃ）用ピックアップ光源、ＣＤ（Ｃｏｍｐａｃｔ  Ｄｉｓｃ）用ピックアップ光源、ＬＡＮ（Ｌｏｃａｌ  Ａｒｅａ  Ｎｅｔｗｏｒｋ）用光源、もしくは面発光型ＬＤを利用することができる。
【００２４】
尚、光映像伝送システムの光送信部において、複数の放送信号に対して異なる複数の波長をもつ光信号に変換する機能と、異なる複数の波長をもつ光信号を一つの導波路に合波する機能とを具備するようにして、複数の放送信号を異なる複数の波長をもつ光信号に変換し、一本の光ファイバを用いてＷＤＭ伝送することができるようにしてもよい。この場合、合波器を省略することができる。
【００２５】
また、光映像伝送システムの光受信部において、光ファイバを介して伝送された異なる複数の波長をもつ光信号を互いに異なる波長毎に分波して波長別の複数の導波路に分波する機能と、前記互いに異なる波長毎に分波した光信号を電気信号に変換する機能とを具備するようにして、一本の光ファイバを用いてＷＤＭ伝送された光信号を異なる複数の波長毎に分波して各々電気信号に変換することができるようにしてもよい。この場合、分波器を省略することができる。
【００２６】
また、図１および図２の光映像伝送システムにおいて、光ファイバを介して伝送される光信号として、ＣＷＤＭシステムの波長帯、および６５０ｎｍ帯、７８０ｎｍ帯、８５０ｎｍ帯のうち少なくとも一つの波長帯に属する波長をもたせるようにしてもよい。この場合、電気信号を光信号に変換する光源として、ＣＷＤＭ伝送システムで用いられる分布帰還型レーザ（ＤＦＢ−ＬＤ）、および６５０ｎｍ帯のＤＶＤ用ピックアップ光源、７８０ｎｍ帯のＣＤ用ピックアップ光源、８５０ｎｍ帯のＬＡＮ用光源、特に面発光型レーザ（ＶＣＳＥＬ）を利用することにより、大幅にコスト低減された経済的なシステムを構成することができる。
【００２７】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２８】
【図１】本発明の実施形態例に係る光映像伝送システムの一例を示す構成説明図である。
【図２】本発明の実施形態例に係る光映像伝送システムの他の例を示す構成説明図である。
【図３】従来の映像伝送システムを示す構成説明図である。
【符号の説明】
【００２９】
３１…ＶＨＦ放送用アンテナ、３２…ＵＨＦ放送用アンテナ、３３…Ｕ／Ｖ混合器（ＵＨＦ／ＶＨＦ混合器）、３４…ブースタ、３５…ＢＳ放送およびＣＳ１１０度放送兼用アンテナ、３６…電気信号処理部、３７…光送信部、３８…合波器、３９…ＣＳ放送用アンテナ、４０…コンバータ、４１…ブースタ、４２…電気信号処理部、４３…光送信部、４４…スプリッタ、４５…分波器、４６…光受信部、４７…電気信号処理部、４８…放送用コンセント、４９…テレビ受像機。
【図１】
2006074138.tif 000003
【図２】
2006074138.tif 000004
【図３】
2006074138.tif 000005